(57)【要約】【課題】高倍時において有限距離の物体を観察する際に生じる視度の変化を軽減し、構造が簡単で低コストな見やすい実像式変倍ファインダー光学系を提供する。【解決手段】物体側から順に、対物光学系Ｇと、接眼光学系Ｐ，Ｌ５とを有する実像式変倍ファインダー光学系において、低倍率から高倍率への変倍の際に、対物光学系Ｇの結像面位置が、低倍時の結像面位置ＩＬから高倍時の結像面位置ＩＨへ光軸ＡＸに沿って物体側へ移動することを特徴とする。【選択図】図１
2004246179.tif 000002
【特許請求の範囲】
【請求項１】
物体側から順に、対物光学系と、接眼光学系とを有する実像式変倍ファインダー光学系において、
低倍率から高倍率への変倍の際に、前記対物光学系の結像面位置が、光軸に沿って物体側へ移動することを特徴とする実像式変倍ファインダー光学系。
【請求項２】
以下の条件式を満足することを特徴とする請求項１に記載の実像式変倍ファインダー光学系。
Δｄ  ＜  ｆｅ２  ／  １０００
ただし、
Δｄ：低倍率から高倍率への変倍の際に、前記対物光学系の前記結像面位置が移動する量，
ｆｅ：前記接眼光学系の焦点距離．
【請求項３】
視野枠は、前記対物光学系の低倍時の結像面位置の近傍、または、高倍時の結像面位置の近傍、または、低倍時の結像面位置と高倍時の結像面位置との間の所定の位置に固定して配設されていることを特徴とする請求項１または請求項２に記載の実像式変倍ファインダー光学系。
【請求項４】
視野枠は、低倍率から高倍率への変倍の際に、光軸に沿って物体側へ移動することを特徴とする請求項１または請求項２に記載の実像式変倍ファインダー光学系。
【発明の詳細な説明】
【０００１】
【発明の属する技術分野】
本発明は、実像式変倍ファインダー光学系に関する。
【０００２】
【従来の技術】
近年、高変倍の撮影光学系に用いられる実像式変倍ファインダーは、撮影光学系の変倍比が大きくなることにともない、その倍率（以下、「ファインダー倍率」という）が大きくなる傾向にある。特に、撮影光学系が長焦点側に変倍すると、ファインダー倍率も等倍を超えるようになっている。そのため、ファインダー倍率が大きい状態で有限距離の物体を観察すると、距離に応じた視度の変化が大きくなり、無視できなくなる。
【０００３】
一般に、ファインダー倍率ｍの状態で有限距離Ｒの物体を観察するときの視度の変化量ΔＡは、次式で表される。
ΔＡ  ＝  ｍ２  ×  １０００  ／  Ｒ
これにより、視度の変化量は、ファインダー倍率が等倍であるときを境に大きくなると言える。
【０００４】
このような視度の変化の補正を行うためのファインダー光学系として、ファインダー光学系中の接眼レンズなどを光軸方向へ移動させる構成のものが提案されている（例えば、特許文献１参照。）。また、ファインダー光学系に合焦群を設け、該合焦群を測距情報に応じて制御する構成のものも提案されている（例えば、特許文献２参照。）。
【０００５】
次に、本発明の実像式変倍ファインダー光学系に対する比較例として、従来の実像式変倍ファインダー光学系の一例を図面を参照して説明する。図３は、従来の実像式変倍ファインダー光学系の一例の構成を示す断面図である。図３において、（ａ）は低倍時、（ｂ）は高倍時をそれぞれ示している。
図３に示す従来の実像式変倍ファインダー光学系は、物体側から順に、対物レンズ群Ｇ０と、正立化プリズムＰ０と、接眼レンズＬ５０とから構成されている。
【０００６】
対物レンズ群Ｇ０は、４つのレンズＬ１０，Ｌ２０，Ｌ３０，Ｌ４０からなり、実像を形成するものである。レンズＬ２０は、光軸ＡＸに沿って物体側へ線形に移動することによって、対物レンズ群Ｇ０の焦点距離を長焦点距離に変化させる（低倍から高倍へ変倍させる）。レンズＬ３０は、光軸ＡＸに沿って非線形に移動することによって、対物レンズ群Ｇ０の結像面位置Ｉを低倍から高倍にわたって同一位置に維持する。このレンズＬ３０によって、ファインダー倍率が低倍から高倍へ変倍する際の視度の変化を補正することができる。
また、正立化プリズムＰ０は、対物レンズ群Ｇ０によって形成された実像を正立正像とするものである。
斯かる構成の対物レンズ群Ｇ０および正立化プリズムＰ０を経た光は、接眼レンズＬ５０によって平行光とされ、アイポイントＥＰにて観察されることとなる。
【０００７】
以上の構成の従来の実像式変倍ファインダー光学系において、仮に低倍時のファインダー倍率が０．４倍で、高倍時のファインダー倍率が等倍になると想定する。そして、物体が無限遠のときの視度を０ｍ−１とした場合、無限遠から有限距離１ｍを観察するときに発生する視度の変化量ΔＡは、上述した視度の変化量ΔＡの式より、低倍時において０．１６ｍ−１、高倍時において１ｍ−１となる。したがって、有限距離１ｍの物体を観察しながらファインダー倍率を低倍から高倍へ変倍すると、観察者の眼には０．８４ｍ−１の視度変化の負担がかかることになる。
【０００８】
【特許文献１】
特開平８−１２２８５４号公報
【特許文献２】
特開平２−２３０２２６号公報
【０００９】
【発明が解決しようとする課題】
しかしながら、上記特許文献１に開示されているファインダー光学系では、観察者が必要に応じて視度調節機構を操作する必要がある。この操作のため、視度の変化を補正することが煩雑になり、十分に補正の効果を得られるとは言い難い。また、ファインダー光学系において高倍率化や至近撮影距離の短縮化を図る場合には視度の変化量が大きくなり、上記特許文献１に開示されているファインダー光学系によって補正するためには視度調節の幅が大きく必要になる。その結果、接眼光学系の大型化を招くことになってしまう。
【００１０】
上記特許文献２に開示されているファインダー光学系は、理想的に視度の変化を補正することができるものの、構成が複雑であるためにファインダー光学系の大型化およびコストの増大を招くことになってしまう。
【００１１】
そこで本発明は上記問題点に鑑みてなされたものであり、高倍時において有限距離の物体を観察する際に生じる視度の変化を軽減し、構造が簡単で低コストな見やすい実像式変倍ファインダー光学系を提供することを目的とする。
【００１２】
【課題を解決するための手段】
上記課題を解決するために本発明は、
物体側から順に、対物光学系と、接眼光学系とを有する実像式変倍ファインダー光学系において、
低倍率から高倍率への変倍の際に、前記対物光学系の結像面位置が、光軸に沿って物体側へ移動することを特徴とする実像式変倍ファインダー光学系を提供する。
【００１３】
また本発明の好ましい態様によれば、以下の条件式（１）を満足することが望ましい。
（１）    Δｄ  ＜  ｆｅ２  ／  １０００
ただし、
Δｄ：低倍率から高倍率への変倍の際に、前記対物光学系の前記結像面位置が移動する量，
ｆｅ：前記接眼光学系の焦点距離．
【００１４】
また本発明の好ましい態様によれば、
視野枠は、前記対物光学系の低倍時の結像面位置の近傍、または、高倍時の結像面位置の近傍、または、低倍時の結像面位置と高倍時の結像面位置との間の所定の位置に固定して配設されていることが望ましい。
【００１５】
また本発明の好ましい態様によれば、
視野枠は、低倍率から高倍率への変倍の際に、光軸に沿って物体側へ移動することが望ましい。
【００１６】
【発明の実施の形態】
以下、本発明の実施の形態に係る実像式変倍ファインダー光学系を図面に基づいて詳細に説明する。図１は、本発明の実施の形態に係る実像式変倍ファインダー光学系の構成を示す断面図である。図１において、（ａ）は低倍時、（ｂ）は高倍時をそれぞれ示している。
図１に示す本実施の形態に係る実像式変倍ファインダー光学系は、物体側から順に、対物レンズ群Ｇと、正立化プリズムＰと接眼レンズＬ５とからなる接眼光学系とから構成されている。
【００１７】
対物レンズ群Ｇは、４つのレンズＬ１，Ｌ２，Ｌ３，Ｌ４からなり、実像を形成するものである。
レンズＬ２は、光軸ＡＸに沿って物体側へ線形に移動することによって、対物レンズ群Ｏの焦点距離を長焦点距離に変化させる（低倍から高倍へ変倍させる）。
レンズＬ３は、低倍から高倍への変倍の際に、光軸ＡＸに沿って非線形に移動することによって、対物レンズ群Ｇの結像面位置を距離Δｄだけ物体側へ移動させるように構成されている。したがって、高倍時の対物レンズ群Ｇの結像面位置ＩＨは、低倍時の結像面位置ＩＬよりも距離Δｄだけ物体側に位置することとなる。
また、正立化プリズムＰは、対物レンズ群Ｇによって形成された実像を正立正像とするものである。
また、低倍時の対物レンズ群Ｇの結像面位置ＩＬ近傍には、視野枠ＦＳ１が固定して配設されている。
斯かる構成の対物レンズ群Ｇおよび正立化プリズムＰを経た光は、接眼レンズＬ５によって平行光とされ、アイポイントＥＰにて観察されることとなる。
【００１８】
以上の構成の本実施の形態に係る実像式変倍ファインダー光学系において、対物レンズ群Ｇの結像面位置の移動距離Δｄを視度の変化量０．５ｍ−１相当分に設定する。さらに、上述の従来例と同様、低倍時のファインダー倍率が０．４倍で、高倍時のファインダー倍率が等倍になると仮に想定する。
この想定の下、物体が無限遠のときの視度を０ｍ−１とした場合、無限遠から有限距離１ｍを観察するときに発生する視度の変化量ΔＡは、低倍時においては従来例と同様に０．１６ｍ−１となる。
【００１９】
一方、高倍時においては、対物レンズ群Ｇの結像面位置が、低倍時の結像面位置ＩＬに対して高倍時の結像面位置ＩＨへ視度の変化量０．５ｍ−１相当分だけ物体側へ移動しているため、無限遠での視度は＋０．５ｍ−１となる。このため、無限遠から有限距離１ｍまでの視度の変化量ΔＡは従来例と同様に１ｍ−１であるが、その絶対値は−０．５ｍ−１となる。
したがって、有限距離１ｍの物体を観察しながらファインダー倍率を低倍から高倍へ変倍すると、観察者の眼に負担となる視度の変化は、従来例の半分以下である０．３４ｍ−１に抑えることができる。
尚、本実施の形態において上記構成に加えてさらに、接眼レンズＬ４部分が視度を調節する機能を有する構成とすることによって、より少ない調整量で視度を調整可能な実像式変倍ファインダー光学系を実現することもできる。
【００２０】
ここで、無限遠の物体を観察している状態で低倍から高倍へ倍率を変化させた場合に、低倍時の視度が０ｍ−１とすると、高倍時の視度は＋０．５ｍ−１となる。したがって、視度の変化量は０．５ｍ−１となってしまう。このため、対物レンズ群Ｇの結像面位置の移動距離、すなわち低倍時の結像面位置ＩＬと高倍時の結像面位置ＩＨとの差Δｄを適切に設定することが望ましい。
【００２１】
したがって、本実施の形態に係る実像式変倍ファインダー光学系は、以下の条件式（１）を満足するように構成されている。
（１）    Δｄ  ＜  ｆｅ２  ／  １０００
ただし、
Δｄ：低倍率から高倍率への変倍の際に、対物レンズ群Ｇの結像面位置が移動する量，
ｆｅ：接眼光学系の焦点距離．
【００２２】
上記条件式（１）は、対物レンズ群Ｇの結像面位置の移動距離Δｄを適切に規定するための条件である。条件式（１）の上限値を上回ると、無限遠の物体を観察する場合に、低倍と高倍での視度の変化量とが大きくなる。これにより、観察者の眼にかかる負担が大きくなってしまうため望ましくない。
【００２３】
本実施の形態に係る実像式変倍ファインダー光学系は、ファインダー倍率が等倍を越えて大きくなると、本発明による効果は小さくなる。しかし、本実施の形態に以下のような制御機構を追加することによって、発明の効果を十分に得ることができる。
例えば、ファインダー倍率を認識するための制御機構を設ける。そして、ファインダー倍率が大きくなった場合に、制御機構の測距機能を作用させて観察距離（物体までの距離）を求める。そして、求めた観察距離に応じて対物レンズ群Ｇの結像面位置を移動させる制御を行う構成とする。
【００２４】
理想的には、以上のような制御を連続的に行うことによって、有限距離を観察しながら低倍から高倍へ変倍する際に生じる視度差を解消することができる。しかしながら、連続的に制御を行う構成とする場合、高精度の機構と制御を継続するためのエネルギーとが必要となる。このため、連続的に制御を行うための構成を実現するためには、高いコストがかかることになってしまう。
【００２５】
そこで連続的な制御ではなく、切り替え式の制御を行う構成とすることによって、機構の精度と制御を継続するエネルギーとを軽減することができる。
具体的には、所定の高倍時以上の場合のみ測距機能を作用させて観察距離を求める。そして、求めた観察距離における視度と無限遠における視度との差が１ｍ−１以上の場合に、対物レンズ群Ｇの結像面位置を物体側へ移動させる制御を行う構成とする。
【００２６】
さらに、機構の簡素化を図るためには、結像面位置を物体側へ移動させる制御を行う際に、ファインダー光学系を構成するレンズを直接制御するのではなく、変倍のためにレンズを移動させるカム部品を動かす構成とすることが好ましい。このようにして制御を行う構成とすることによって、機構の簡素化を図り、必要最小限の精度とコストで高倍時に発生する無限遠と有限距離で生じる視度差を軽減することができる。
【００２７】
上述のように、本実施の形態に係る実像式変倍ファインダー光学系は、変倍の際にレンズＬ３を光軸ＡＸに沿って非線形に移動させ、対物レンズ群Ｇの結像面位置を低倍時の結像面位置ＩＬから高倍時の結像面位置ＩＨへ移動させることによって、視度の変化を補正している。しかし、対物レンズ群Ｇの結像面位置を移動させるための構成はこれに限られるものではない。例えば、高倍時にレンズＬ１を光軸ＡＸに沿って移動させる構成や、レンズＬ３と変倍のためのレンズＬ２とを光軸ＡＸに沿って相対的に移動させる構成とすることによっても対物レンズ群Ｇの結像面位置を移動させることができる。
【００２８】
上述のように、本実施の形態において視野枠ＦＳ１は、低倍時の結像面位置ＩＬの近傍に固定して配設されている。しかしこれに限られず視野枠ＦＳ１は、高倍時の結像面位置ＩＨの近傍、または、低倍時の結像面位置ＩＬと高倍時の結像面位置ＩＨとの間の所定の位置に固定して配設することもできる。
【００２９】
さらに、本実施の形態における視野枠は、変倍に際して移動する構成とすることもできる。図２は、変倍に際して移動する視野枠ＦＳ２を備えた実像式変倍ファインダー光学系の構成を示す断面図であって、（ａ）は低倍時、（ｂ）は高倍時をそれぞれ示している。
図２に示す実像式変倍ファインダー光学系では、固定の視野枠ＦＳ１に替えて、低倍から高倍への変倍に際して光軸ＡＸに沿って移動する視野枠ＦＳ２が配設されている。この視野枠ＦＳ２は、低倍から高倍へ変倍して対物レンズＧの結像面位置を移動させる際に、低倍時には低倍時の結像面位置ＩＬの近傍に配設され、高倍時には光軸ＡＸに沿って物体側へ移動する。これにより、変倍時全域において観察視野と視野枠の視度差が少なくなり、視野と視野枠の観察が容易になる。
また、高倍時には高倍時の結像面位置ＩＨの近傍に視野枠ＦＳ２が位置するように、該視野枠ＦＳ２を物体側へ移動させる構成とすることもできる。これにより、観察視野と視野枠との視度差がさらに少なくなるのでより望ましい。
【００３０】
以上に述べた本実施の形態に係る実像式変倍ファインダー光学系によって、高倍時（特にファインダー倍率が等倍を超える場合）において有限距離の物体を観察する際に生じる視度の変化を軽減することができ、かつ構造の簡素化および低コスト化を図ることができる。
【００３１】
【発明の効果】
本発明によれば、高倍時において有限距離の物体を観察する際に生じる視度の変化を軽減し、構造が簡単で低コストな見やすい実像式変倍ファインダー光学系を提供することができる。
【図面の簡単な説明】
【図１】本発明の実施の形態に係る実像式変倍ファインダー光学系の構成を示す断面図であって、（ａ）は低倍時、（ｂ）は高倍時をそれぞれ示している。
【図２】変倍に際して移動する視野枠ＦＳ２を備えた実像式変倍ファインダー光学系の構成を示す断面図であって、（ａ）は低倍時、（ｂ）は高倍時をそれぞれ示している。
【図３】従来の実像式変倍ファインダー光学系の一例の構成を示す断面図であって、（ａ）は低倍時、（ｂ）は高倍時をそれぞれ示している。
【符号の説明】
Ｇ０，Ｇ        対物レンズ群
Ｌ１，Ｌ２，Ｌ３，Ｌ４，Ｌ１０，Ｌ２０，Ｌ３０，Ｌ４０        レンズ
Ｐ０，Ｐ        正立化プリズム
Ｌ４，Ｌ４０    接眼レンズ
ＩＬ            低倍時の結像面位置
ＩＨ            高倍時の結像面位置
ＥＰ            アイポイント
ＡＸ            光軸
【図１】
2004246179.tif 000003
【図２】
2004246179.tif 000004
【図３】
2004246179.tif 000005